(57)【要約】【課題】被把持物からの取外しが容易である巻付けグリップを提供する。【解決手段】巻付けグリップは、螺旋構造を有する第1の脚部と、螺旋構造を有し、第1の脚部に嵌合される第２の脚部と、第１の脚部の根元部と、第２の脚部の根元部とを、相互に接続する湾曲部と、第１の脚部の先端部および第２の脚部の先端部の少なくとも一方に設けられた取外し部と、を有する。【選択図】図１
2016187255.tif 000002
【特許請求の範囲】
【請求項１】
螺旋構造を有する第1の脚部と、
螺旋構造を有し、前記第1の脚部に嵌合される第２の脚部と、
前記第１の脚部の根元部と、前記第２の脚部の根元部とを、相互に接続する湾曲部と、
前記第１の脚部の先端部および前記第２の脚部の先端部の少なくとも一方に設けられた取外し部と、
を有する巻付けグリップ。
【請求項２】
前記取外し部は、リング形状を有する請求項１に記載の巻付けグリップ。
【請求項３】
前記第１の脚部および前記第２の脚部の少なくとも一方に、少なくともどこまで嵌合作業を行えばよいのか示す目印が設けられている請求項１または２に記載の巻付けグリップ。
【請求項４】
架空送電線の架設作業の途中で、前記架空送電線を一時的に把持する用途に用いられる請求項１〜３のいずれか１項に記載の巻付けグリップ。
【発明の詳細な説明】
【技術分野】
【０００１】
本発明は、巻付けグリップに関する。
【背景技術】
【０００２】
巻付けグリップは、線状の被把持物を把持する各種の用途に用いられている（巻付けグリップについては、例えば特許文献１参照）。例えば、架空送電線を架設する作業において、一時的に電線を把持するような用途に、巻付けグリップが用いられている。
【０００３】
巻付けグリップは、螺旋構造を有する一対の脚部を嵌合させ合うことで、螺旋構造内に被把持物を把持する。従来用いられている巻付けグリップでは、一旦嵌合させた脚部をほどくことが容易ではない。このため、例えば、一時的に電線を把持した後に巻付けグリップを電線から取外すような作業は、容易ではない。
【先行技術文献】
【特許文献】
【０００４】
【特許文献１】特開２０１３−０２２５０４号公報
【発明の概要】
【発明が解決しようとする課題】
【０００５】
本発明の一目的は、被把持物からの取外しが容易である巻付けグリップを提供することである。
【課題を解決するための手段】
【０００６】
本発明の一態様によれば、
螺旋構造を有する第1の脚部と、
螺旋構造を有し、前記第1の脚部に嵌合される第２の脚部と、
前記第１の脚部の根元部と、前記第２の脚部の根元部とを、相互に接続する湾曲部と、
前記第１の脚部の先端部および前記第２の脚部の先端部の少なくとも一方に設けられた取外し部と、
を有する巻付けグリップ
が提供される。
【発明の効果】
【０００７】
作業者が取外し部に指等を掛けることで、嵌合し合った脚部をほどくことが容易になるので、巻付けグリップの被把持物からの取外しが容易になる。
【図面の簡単な説明】
【０００８】
【図１】図１（ａ）〜図１（ｃ）は、本発明の一実施形態による巻付けグリップの概略的な正面図であり、被把持物を巻付けグリップで把持する手順、あるいは、被把持物から巻付けグリップを取外す手順を示す図である。
【図２】図２は、変形例による巻付けグリップの概略的な正面図である。
【図３】図３は、実施形態による架空送電線の架設方法で架設される電線の概略構造例を示す断面図である。
【図４】図４（ａ）〜図４（ｃ）は、実施形態による架空送電線の架設方法の手順を示す鉄塔および電線の概略図である。
【発明を実施するための形態】
【０００９】
まず、図１（ａ）〜図１（ｃ）を参照して、本発明の一実施形態による巻付けグリップの構造および基本的な使用方法について説明する。図１（ａ）〜図１（ｃ）は、実施形態による巻付けグリップ１００の概略的な正面図であり、被把持物１５０を巻付けグリップ１００で把持する手順、あるいは、被把持物１５０から巻付けグリップ１００を取外す手順を示す図である。
【００１０】
図１（ａ）を参照する。巻付けグリップ１００は、脚部１１０と湾曲部（環部）１２０と取外し部１３０とを有する。
【００１１】
脚部１１０は、一対となるよう２つ設けられている。脚部１１０同士が相互に嵌合されるように、２つの脚部１１０は、それぞれ螺旋構造を有する。図１（ｂ）、図１（ｃ）を参照して後述するように、まず把持される対象物（被把持物）１５０が一方の脚部１１０の螺旋構造内に嵌合され、その後他方の脚部１１０の螺旋構造が一方の脚部１１０の螺旋構造に嵌合されることで、被把持物１５０が巻付けグリップ１００に把持される。つまり、一方の脚部１１０が先に被把持物１５０に巻付けられ、他方の脚部１１０が後に被把持物１５０に巻付けられる。先に被把持物１５０に巻付けられる側の脚部１１０を、先側脚部１１１と呼ぶことがあり、後に被把持物１５０に巻付けられる側の脚部１１０を、後側脚部１１２と呼ぶことがある。また、先側脚部１１１および後側脚部１１２のそれぞれを、被把持物１５０への巻付けの先後を特には区別せずに、脚部１１０と呼ぶことがある。
【００１２】
図１（ａ）は、先側脚部１１１が被把持物１５０に巻付けられていない状態を示す。
【００１３】
湾曲部１２０は、先側脚部１１１の根元部と後側脚部１１２の根元部とを相互に接続している。つまり、先側脚部１１１の根元部と後側脚部１１２の根元部とが、湾曲部１２０を介して接続されている。
【００１４】
脚部１１０や湾曲部１２０の形状や構造等としては、例えば、公知のものを適宜選択して用いることができる。例えば、脚部１１０の螺旋構造の内径、巻ピッチ、長さ等は、被把持物１５０の外径や必要な把持力等に応じて適宜選択することができる。
【００１５】
実施形態による巻付けグリップ１００は、脚部１１０の先端部に、取外し部１３０が設けられていることを特徴とする。取外し部１３０は、被把持物１５０から脚部１１０を取外しやすくするように（例えば作業者の指が掛けられるように）、脚部１１０の先端部から突出した部分として設けられており、例えばリング形状を有する。ここでは、先側脚部１１１の先端部および後側脚部１１２の先端部に、それぞれ取外し部１３１および取外し部１３２が設けられている例を説明する。取外し部１３１および取外し部１３２のそれぞれを、脚部１１１、１１２のどちら側に設けられているか特には区別せずに、取外し部１３０と呼ぶことがある。
【００１６】
図１（ｂ）を参照する。図１（ｂ）は、巻付けグリップ１００の先側脚部１１１の螺旋構造内に被把持物１５０が嵌合され、その後、先側脚部１１１の螺旋構造に、後側脚部１１２の螺旋構造の途中までが嵌合された状態の例を示す。
【００１７】
図１（ｃ）を参照する。図１（ｃ）は、先側脚部１１１の螺旋構造に、後側脚部１１２の螺旋構造の先端までが嵌合された状態の例を示す。
【００１８】
先側脚部１１１の螺旋構造内に被把持物１５０を嵌合させた後、後側脚部１１２を先側脚部１１１に巻付けて後側脚部１１２の螺旋構造と先側脚部１１１の螺旋構造とを嵌合させることで被把持物１５０を把持するという使用方法は、実施形態の巻付けグリップ１００においても、公知の巻付けグリップと同様である。
【００１９】
実施形態による巻付けグリップ１００は、取外し部１３０を有することで、例えば後述の架空送電線の架設方法のような、被把持物１５０を一時的に把持した後、巻付けグリップ１００を被把持物１５０から取外す場合に、使いやすくなっている。
【００２０】
図１（ｃ）あるいは図１（ｂ）に示すような把持状態が不要となった後は、作業者が取外し部１３０に例えば指を掛けて、嵌合し合った脚部１１０をほどき、図１（ａ）に示すように、被把持物１５０から巻付けグリップ１００を取外すことができる。
【００２１】
取外し部１３０が設けられていない通常の（公知の）巻付けグリップを用いた場合、簡単に取外すという使い方は想定されていないので、ドライバ等の工具を使わなければ嵌合し合った脚部をほどくことが困難である。
【００２２】
これに対し、取外し部１３０が設けられている実施形態の巻付けグリップ１００を用いた場合、例えば工具を使わずに（作業者の手だけで）嵌合し合った脚部１１０をほどくことが容易になる。このため、被把持物１５０から巻付けグリップ１００を取外す作業の簡単化や短時間化が図られる。
【００２３】
なお、図１（ａ）等には、一対の脚部１１０の両方の先端部に、それぞれ取外し部１３０が設けられている構造を例示しているが、一対の脚部１１０の少なくとも一方の先端部に取外し部１３０が設けられていれば、取外し部１３０が設けられていない場合と比べて、脚部１１０をほどくことが容易になる。
【００２４】
なお、取外し部１３０を用いて脚部１１０をほどく作業を、例えば工具を使わずに（作業者の手だけで）行う場合について例示しているが、これは、工具の使用を禁止することまでは意味しない。つまり、何らかの工具を取外し部１３０に掛けて脚部１１０をほどくような使い方を排除するわけではない。取外し部１３０が設けられていることで、何らかの工具を使って脚部１１０をほどくような場合であっても、取外し部１３０が設けられていない場合と比べて、脚部１１０をほどくことが容易になる。
【００２５】
取外し部１３０は、作業者の指等が掛かりやすい形状や構造を有していれば、その形状や構造は特に限定されないが、例えばリング形状を有していることが好ましい。取外し部１３０がリング形状を有していることで、作業者の指等をいずれの方向からでも掛けることができる。また、取外し部１３０に作業者の指を掛ける用途以外に、例えば紐等を掛けるような用途にも用いやすくなる。また、先端角部により作業者がけがをする危険性が少ない。
【００２６】
取外し部１３０は、典型的には、作業者が指を掛けられる指掛け部として設けられていることが好ましい。ただし、取外し部１３０は、必ずしも作業者の指が掛けられるように設けられていなくともよい。例えば、作業者の指が掛からない程度に小さいリング部として設けられている場合であっても、当該リング部に紐等を通して使用することで、脚部１１０をほどきやすくできる。
【００２７】
巻付けグリップ１００は、例えば、公知の巻付けグリップのように、複数本の鋼線を撚り合わせて作製することができる。取外し部１３０は、例えば、脚部１１０の先端部の鋼線をリング形状に成形することで、設けることができる。
【００２８】
なお、実施形態による巻付けグリップ１００が取外し部１３０を有することにより、脚部１１０をほどくことが容易になるのみならず、脚部１１０を嵌合させることも容易になる。
【００２９】
なお、脚部１１０同士を先端まで嵌合させることや、先端まで嵌合した脚部１１０同士をほどくことは、脚部１１０同士を途中まで嵌合させることや、途中まで嵌合した脚部１１０同士をほどくことに比べると、強い力が必要となるので、取外し部１３０が設けられていても、やや行い難いことも考えられる。
【００３０】
このため、脚部１１０の螺旋構造を充分に長く余長を持たせて設けておき、脚部１１０同士を途中まで嵌合させただけでも、充分な把持力が得られるようにしてもよい。このような場合、少なくともどこまで嵌合作業を行えばよいのか、作業者にわかりやすいように、脚部１１０に目印１４０を設けておくことが好ましい。目印１４０は、一対の脚部１１０の少なくとも一方に設けられていればよいが、例えば、嵌合作業時のわかりやすさの観点からは、先側脚部１１１と後側脚部１１２の両方に設けられていることが好ましい。
【００３１】
目印１４０を設けておくことにより、少なくとも目印１４０の位置まで脚部１１０同士を嵌合させることで、脚部１１０同士が先端までは嵌合していなくとも、把持作業を完了させることができる。これにより、脚部１１０同士を嵌合させる作業や、嵌合した脚部１１０同士をほどく作業を行うことが容易になる。
【００３２】
次に、図２を参照して、上述の実施形態の変形例による巻付けグリップについて説明する。図２は、変形例による巻付けグリップ１００の概略的な正面図である。なお、説明の煩雑さを避けるため、上述の実施形態と対応する部材や構造については、同一の参照符号を用いて説明を行う。
【００３３】
変形例による巻付けグリップ１００は、取外し部１３０の形状が上述の実施形態と異なっている。他の構造は上述の実施形態と同様である。本変形例による巻付けグリップ１００も、上述の実施形態と同様に、嵌合し合った脚部１１０をほどくことが容易になる等の効果を有する。取外し部１３０の形状は、上述の実施形態のようなリング形状に限定されず、本変形例のように、例えばＵ字形状等の他の形状であってもよい。
【００３４】
次に、図３および図４（ａ）〜図４（ｃ）を参照し、実施形態による巻付けグリップ１００の応用的な使用方法の一例として、架空送電線の架設方法（実施形態による架空送電線の架設方法）について説明する。
【００３５】
図３は、実施形態による架空送電線の架設方法で架設される電線２００の概略構造例を示す断面図である。例示の電線２００は、低弛度電線の一種であるギャップ電線として構成されており、心線２１０と、心線２１０の外側に隙間を介して配置された外層線２２０とを有する。心線２１０は、例えば鋼心であり、外層線２２０は、例えばアルミニウムやアルミ合金で形成された素線２２１が撚られて形成されている。
【００３６】
図４（ａ）〜図４（ｃ）は、実施形態による架空送電線の架設方法の手順を示す鉄塔および電線の概略図である。
【００３７】
図４（ａ）を参照する。電線２００を、カムアロングクランプを介して鉄塔４００に引き留めた状態で、電線２００の端部における外層線２２０の素線２２１の撚りをほどき、心線２１０を露出させる。
【００３８】
露出した心線２１０に、巻付けグリップ１００を取付ける。巻付けグリップ１００の湾曲部（環部）１２０を、ワイヤ３００を介して、鉄塔４００に取付けられた引っ張り機構３１０に接続する。
【００３９】
そして、心線２１０へ所望の張力が加わって電線２００が所望の弛度を有する状態となるように、引っ張り機構３１０により巻付けグリップ１００の湾曲部１２０を鉄塔４００側へ引っ張る。つまり、巻付けグリップ１００を介して心線２１０を引っ張る。なお、引っ張り機構３１０により巻付けグリップ１００の湾曲部１２０を引っ張る際には、上記カムアロングクランプによる鉄塔４００への引き留めは、外すかまたは充分にゆるくしておく。
【００４０】
巻付けグリップ１００を介して心線２１０が引っ張られた状態を、所定時間（例えば２時間から１日程度）放置する。
【００４１】
図４（ｂ）を参照する。巻付けグリップ１００を介して心線２１０が引っ張られた状態を所定時間放置した後、心線２１０の端部の長さを、鉄塔４００のアーム４１０に取付けられた碍子４２０に接続するのに適当な長さとし、心線２１０の先端に鋼心クランプ４３０を取付ける。
【００４２】
そして、鋼心クランプ４３０を碍子４２０に接続し、心線２１０から巻付けグリップ１００を取外す。巻付けグリップ１００が取外し部１３０を有していることにより、作業者は、例えば工具を使わずに（作業者の手だけで）容易に、心線２１０から巻付けグリップ１００を取外すことができる。なお、ドライバ等の硬い工具を使わずに心線２１０から巻付けグリップ１００を取外すようにすることで、この取外し作業に伴い工具で心線２１０を傷つけてしまう危険性が減る。
【００４３】
図４（ｃ）を参照する。撚りがほどかれた素線２２１を撚り直して心線２１０の露出部を覆った後、アルミクランプ４４０を電線２００の先端に固定する。
【００４４】
このようにして、心線２１０に所望の張力が加わって電線２００が所望の弛度を有する状態で、電線２００を鉄塔４００に架設することができる。
【００４５】
以上説明したように、実施形態による巻付けグリップは、例えば、架空送電線の架設作業において弛度を調整する用途に用いることができる。
【００４６】
なお、実施形態による架空送電線の架設方法として、ギャップ電線の架設を例示したが、架設される電線の種類は、ギャップ電線に限定されない。他の種類の架空送電線の架設においても、架設作業の途中で巻付けグリップにより一時的に電線を把持する用途（その後に巻付けグリップを電線から取外して、以降の作業を続行するような場合）に、実施形態による巻付けグリップを用いることができる。
【００４７】
なお、さらに、電線以外の被把持物を巻付けグリップにより一時的に把持する用途（その後に巻付けグリップを被把持物から取外して以降の作業を続行するような場合）についても、広く一般的に、実施形態による巻付けグリップを用いることができる。
【００４８】
以上、実施形態に沿って本発明を説明したが、本発明の実施形態はこれらに制限されるものではない。例えば、種々の変更、改良、組み合わせ等が可能なことは当業者に自明であろう。
【００４９】
以下、本発明の好ましい態様について付記する。
【００５０】
（付記１）
螺旋構造を有する第1の脚部と、
螺旋構造を有し、前記第1の脚部に嵌合される第２の脚部と、
前記第１の脚部の根元部と、前記第２の脚部の根元部とを、相互に接続する湾曲部と、
前記第１の脚部の先端部および前記第２の脚部の先端部の少なくとも一方に設けられた取外し部と、
を有する巻付けグリップ。
【００５１】
（付記２）
前記取外し部は、前記第１の脚部の先端部および前記第２の脚部の先端部の両方に設けられている付記１に記載の巻付けグリップ。
【００５２】
（付記３）
前記取外し部は、リング形状を有する付記１または２に記載の巻付けグリップ。
【００５３】
（付記４）
前記第１の脚部および前記第２の脚部の少なくとも一方に、少なくともどこまで嵌合作業を行えばよいのか示す目印が設けられている付記１〜３のいずれか１つに記載の巻付けグリップ。
【００５４】
（付記５）
架空送電線の架設作業の途中で、前記架空送電線を一時的に把持する用途に用いられる付記１〜４のいずれか１つに記載の巻付けグリップ。
【００５５】
（付記６）
前記架空送電線の弛度を調整する用途に用いられる付記５に記載の巻付けグリップ。
【００５６】
（付記７）
架空送電線の架設作業の途中で、巻付けグリップにより前記架空送電線を一時的に把持する工程と、
前記巻付けグリップを前記架空送電線から取外して、以降の作業を続行する工程と、
を有し、
前記巻付けグリップは、
螺旋構造を有する第1の脚部と、
螺旋構造を有し、前記第1の脚部に嵌合される第２の脚部と、
前記第１の脚部の根元部と、前記第２の脚部の根元部とを、相互に接続する湾曲部と、
前記第１の脚部の先端部および前記第２の脚部の先端部の少なくとも一方に設けられた取外し部と、
を有する、架空送電線の架設方法。
【符号の説明】
【００５７】
１００  巻付けグリップ
１１０  脚部
１２０  湾曲部（環部）
１３０  取外し部
１４０  目印
１５０  被把持物
２００  電線
２１０  心線
２２０  外層線
２２１  （外層線の）素線
３００  ワイヤ
３１０  引っ張り機構
４００  鉄塔
４１０  アーム
４２０  碍子
【図１】
2016187255.tif 000003
【図２】
2016187255.tif 000004
【図３】
2016187255.tif 000005
【図４】
2016187255.tif 000006